(57)【要約】      （修正有）【課題】  犬の体型にフィットしたドッグウエア用型紙と同型紙サイズの判定、修正方法を提供する。【解決手段】  前身頃は犬の前胸の中間線に対応する中心線Ａ−Ａにより対称に配置された一対の前身頃片を有し、後身頃は犬の背筋線に対応する中心線Ｄ−Ｄにより対称に配置される一対の後身頃片を有し、前身頃における犬の前足の付け根に対応する基点Ｂと後身頃の側辺部上端が一致するように並置された前身頃と後身頃は、重ね合わせた側辺部が基点Ｂから裾方向に延びてウエアの腋線を形成する一方、前身頃の中心線Ａ−Ａ上あるいはその延長線上において、基点Ｂ、Ｂを結ぶ直線Ｂ−Ｂと中心線Ａ−Ａとの直交点Ｃを起点として、採寸された犬の前足の付け根から後足の付け根までの長さに相当する点Ｐを設定し、当該点Ｐと後ろ身頃の中心線Ｄ−Ｄとを結ぶ直交線Ｐ−Ｒの長さＸと、後足の付け根で採寸された犬の後胴回りＹとしたとき、ＸがＹの２分の１とほぼ同じとした。【選択図】  図２
2005058190.tif 000002
【特許請求の範囲】
【請求項１】
少なくとも前身頃と後身頃を備えたドッグウエア用型紙において、前身頃は犬の前胸の中間線に対応する中心線Ａ−Ａにより対称に配置された一対の前身頃片を有し、後身頃は犬の背筋線に対応する中心線Ｄ−Ｄにより対称に配置される一対の後身頃片を有し、前身頃における犬の前足の付け根に対応する基点Ｂと後身頃の側辺部上端が一致するように並置された前身頃と後身頃は、重ね合わせた側辺部が基点Ｂから裾方向に延びてウエアの脇線を形成する一方、前身頃の中心線Ａ−Ａ上あるいはその延長線上において、基点Ｂ、Ｂを結ぶ直線Ｂ−Ｂと中心線Ａ−Ａとの直交点Ｃを起点として採寸された犬の前足の付け根から後足の付け根までの長さに相当する点Ｐを設定し、当該点Ｐと後ろ身頃の中心線Ｄ−Ｄとを結ぶ直交線Ｐ−Ｒの長さＸと、後足の付け根で採寸された犬の後胴回りＹとしたとき、ＸがＹの２分の１とほぼ同じとしたドッグウエア用型紙。
【請求項２】
少なくとも前身頃と後身頃を備えたドッグウエア用型紙において、前身頃は犬の前胸の中間線に対応する中心線Ａ−Ａにより対称に配置された一対の前身頃片を有し、後身頃は犬の背筋線に対応する中心線Ｄ−Ｄにより対称に配置される一対の後身頃片を有し、前身頃における犬の前足の付け根に対応する基点Ｂと後身頃の側辺部上端が一致するように並置された前身頃と後身頃は、重ね合わせた側辺部が基点Ｂから裾方向に延びてウエアの脇線を形成する一方、前身頃の中心線Ａ−Ａ上あるいはその延長線上において、基点Ｂ、Ｂを結ぶ直線Ｂ−Ｂと中心線Ａ−Ａとの直交点Ｃを起点として採寸された犬の前足の付け根から後足の付け根までの長さに相当する点Ｐを設定し、当該点Ｐと後ろ身頃の中心線Ｄ−Ｄとを結ぶ直交線Ｐ−Ｒの長さＸと、後足の付け根で採寸された後胴回りＹとしたとき、ＸがＹの２分の１とほぼ同じか否かによりサイズの適否を判定するドッグウエア用型紙サイズの判定方法。
【請求項３】
少なくとも前身頃と後身頃を備えたドッグウエア用型紙において、前身頃は犬の前胸の中間線に対応する中心線Ａ−Ａにより対称に配置された一対の前身頃片を有し、後身頃は犬の背筋線に対応する中心線Ｄ−Ｄにより対称に配置される一対の後身頃片を有し、前身頃における犬の前足の付け根に対応する基点Ｂと後身頃の側辺部上端が一致するように並置された前身頃と後身頃は、重ね合わせた側辺部が基点Ｂから裾方向に延びてウエアの脇線を形成する一方、前身頃の中心線Ａ−Ａ上あるいはその延長線上において、基点Ｂ、Ｂを結ぶ直線Ｂ−Ｂと中心線Ａ−Ａとを結ぶ直交点Ｃを起点として採寸された犬の前足の付け根から一定の長さに相当する点Ｐを設定し、当該点Ｐを通るとともに中心線Ａ−Ａと直交する線がウエアの脇線を形成する線Ｂ−Ｆと交わる点をＳとし、直線Ｐ−Ｓの長さＸ１、線Ｂ−Ｆ上の点Ｓと後ろ身頃の中心線Ｄ−Ｄとを結ぶ直交線Ｓ−Ｑの長さＸ２、犬の点Ｐに対応する箇所で採寸された犬の胴回りＹとしたとき、Ｘ１とＸ２との和ＸがＹの２分の１とほぼ同じか否かによりのサイズの適否を判定するドッグウエア用型紙サイズの判定方法。
【請求項４】
長さＸと犬の胴回りＹとの関係は、ＸがＹの２分の１と同じ、小さい、大きいの各場合において、同じであればサイズが適当であり、小さければサイズが小さく、また大きければサイズが大き過ぎることを判定する請求項２又は３に記載のドッグウエア用型紙サイズの判定方法。
【請求項５】
前記請求項４のドッグウエア用型紙サイズの判定方法の結果、ＸがＹの２分の１より小さい場合、ＸがＹの２分の１と同じになるように基点Ｂを支点として前身頃を後身頃の中心線Ｄ−Ｄから離間するように移動し、移動後における前身頃の側辺部と後身頃の側辺部との間にウエアの脇線を変更する犬の半身を操作対象としたドッグウエア用型紙の修正方法。
【請求項６】
前記請求項４のドッグウエア用型紙サイズの判定方法の結果、ＸがＹの２分の１より大きい場合、ＸがＹの２分の１と同じになるように基点Ｂを支点として前身頃を後身頃の中心線Ｄ−Ｄに接近するように移動し、移動後における前身頃の側辺部によりウエアの脇線を変更する犬の半身を操作対象としたドッグウエア用型紙の修正方法。
【請求項７】
側辺部を重ね合わせて互いに連結される前身頃と後身頃の型紙において、前身頃の基点Ｂを中心とする前身頃の回転的な移動により、後身頃の中心線Ｄ−Ｄに対して、前身頃における下前身頃片を相対的に離間移動あるいは接近移動し、少なくとも移動後の下前身頃片の側辺部を基準に変更する脇線を決定するドッグウエア用型紙の修正方法。
【請求項８】
半身を対象として修正された型紙において、一方の前身頃片および／または後身頃片において変更された脇線などの修正部分を前身頃の中心線Ａ−Ａおよび／または後身頃の中心線Ｄ−Ｄにより、対称に配置される他方の前身頃片および／または後身頃片へ転用し、一対の前身頃片および／または後身頃片を修正するドッグウエア用型紙の修正方法。
【発明の詳細な説明】
【発明の詳細な説明】
【技術分野】
【０００１】  本発明はドッグウエア用型紙および型紙サイズの判定、修正方法にかんする。
【背景技術】
【０００２】  現在、多数の犬種が存在するが、犬種によりその体型が異なり、種々の体型にフィットしたドッグウエアの制作は難しい状況にある。またウエアを制作する型紙についても、たとえばすべての犬種に適合する型紙を準備することは容易ではない。
【従来技術文献】
従来の技術文献として特開平２０００−３４５２８３などがあるが、本願発明のような技術思想や構成は開示されていない。
【発明が解決しようとする課題】
【０００３】  本発明はこのような状況のもと種々の犬の体型にフィットするドッグウエア用型紙および同型紙のサイズ判定、修正方法を提供することを課題とする。
【課題を解決するための手段】
【０００４】  本発明はウエアの基本的要素である前身頃と後身頃を対象とするとともに複数の基準線を設定する一方、基準線と前身頃、後身頃との位置関係に着目し、型紙サイズの設定、判定、修正をおこなうものである。犬の胴部は中心線によりほぼ対称であるという認識のもとに、基準線として犬の背筋線に対応する後見頃の中心線と、前犬の前胸および／または前腹における中間線に対応する身頃の中心線を用いる。
【０００５】  そして前記課題を解決するため本発明にかかるドッグウエア用型紙は、少なくとも前身頃と後身頃を備えたドッグウエア用型紙において、前身頃は犬の前胸の中間線に対応する中心線Ａ−Ａにより対称に配置された一対の前身頃片を有し、後身頃は犬の背筋線に対応する中心線Ｄ−Ｄにより対称に配置される一対の後身頃片を有し、前身頃における犬の前足の付け根に対応する基点Ｂと後身頃の側辺部上端が一致するように並置された前身頃と後身頃は、重ね合わせた側辺部が基点Ｂから裾方向に延びてウエアの脇線を形成する一方、前身頃の中心線Ａ−Ａ上あるいはその延長線上において、基点Ｂ、Ｂを結ぶ直線Ｂ−Ｂと中心線Ａ−Ａとの直交点Ｃを起点として採寸された犬の前足の付け根から後足の付け根までの長さに相当する点Ｐを設定し、当該点Ｐと後ろ身頃の中心線Ｄ−Ｄとを結ぶ直交線Ｐ−Ｒの長さＸと、後足の付け根で採寸された犬の後胴回りＹとしたとき、ＸがＹの２分の１とほぼ同じとした。
【０００６】  またドッグウエア用型紙サイズの判定方法は、少なくとも前身頃と後身頃を備えたドッグウエア用型紙において、前身頃は犬の前胸の中間線に対応する中心線Ａ−Ａにより対称に配置された一対の前身頃片を有し、後身頃は犬の背筋線に対応する中心線Ｄ−Ｄにより対称に配置される一対の後身頃片を有し、前身頃における犬の前足の付け根に対応する基点Ｂと後身頃の側辺部上端が一致するように並置された前身頃と後身頃は、重ね合わせた側辺部が基点Ｂから裾方向に延びてウエアの脇線を形成する一方、前身頃の中心線Ａ−Ａ上あるいはその延長線上において、基点Ｂ、Ｂを結ぶ直線Ｂ−Ｂと中心線Ａ−Ａとの直交点Ｃを起点として採寸された犬の前足の付け根から後足の付け根までの長さに相当する点Ｐを設定し、当該点Ｐと後ろ身頃の中心線Ｄ−Ｄとを結ぶ直交線Ｐ−Ｒの長さＸと、後足の付け根で採寸された後胴回りＹとしたとき、ＸがＹの２分の１とほぼ同じか否かによりサイズの適否を判定する。
【０００７】  またドッグウエア用型紙サイズの他の判定方法は、少なくとも前身頃と後身頃を備えたドッグウエア用型紙において、前身頃は犬の前胸の中間線に対応する中心線Ａ−Ａにより対称に配置された一対の前身頃片を有し、後身頃は犬の背筋線に対応する中心線Ｄ−Ｄにより対称に配置される一対の後身頃片を有し、前身頃における犬の前足の付け根に対応する基点Ｂと後身頃の側辺部上端が一致するように並置された前身頃と後身頃は、重ね合わせた側辺部が基点Ｂから裾方向に延びてウエアの腋線を形成する一方、前身頃の中心線Ａ−Ａ上あるいはその延長線上において、基点Ｂ、Ｂを結ぶ直線Ｂ−Ｂと中心線Ａ−Ａとを結ぶ直交点Ｃを起点として採寸された犬の前足の付け根から一定の長さに相当する点Ｐを設定し、当該点Ｐを通るとともに中心線Ａ−Ａと直交する線がウエアの脇線を形成する線Ｂ−Ｆと交わる点をＳとし、直線Ｐ−Ｓの長さＸ１、側辺部Ｂ−Ｆ上の点Ｓと後ろ身頃の中心線Ｄ−Ｄとを結ぶ直交線Ｓ−Ｑの長さＸ２、犬の点Ｐに対応する箇所で採寸された犬の胴回りＹとしたとき、Ｘ１とＸ２との和ＸがＹの２分の１とほぼ同じか否かにより型紙のサイズの適否を判定する。
【０００８】そして長さＸと犬の胴回りＹとの関係は、ＸがＹの２分の１と同じ、小さい、大きいの各場合において、同じであればサイズが適当であり、小さければサイズが小さく、また大きければサイズが大き過ぎることが判定される。
【発明を実施するための最良の形態】
【０００９】  本発明にかかるドッグウエア用型紙およびそのサイズ判定、修正方法の実施の形態について説明する。型紙５０は少なくとも前身頃と後身頃を備えたドッグウエア１の制作に使用される。以下、型紙５０において、各パターンは外側線とこれと若干の間隔をおき並行する内側線の２重線でその外形が表示されるが、外側線と内側線との間は「縫いしろ」、内側線はウエアの「仕上がり線」（縫着線）である。型紙５０において、前身頃２は犬１００の前胸１０１の中間線１０３に対応する中心線Ａ−Ａにより対称に配置された一対の前身頃片２０、２０を有する。また後身頃３は犬の背筋線１１１に対応する中心線Ｄ−Ｄにより対称に配置される一対の後身頃片２２、２３を有する。前身頃３には犬の両前足１０７の付け根に対応する基点Ｂ、Ｂが設定される。前身頃３における基点Ｂ、Ｂは中心線Ａ−Ａにかんして対称である。また前身頃３は中心線Ａ−Ａに直交する線点Ｂ−Ｂにより上下の前身頃片２１、２２に分けられる。前足１０７の付け根は前付け根ｆでも後ろ付け根ｂでもよく、また両者間の任意の点であってもよい。要するに腋における任意の点であるが、前足の後ろ付け根ｂとするのが好ましい。【００１０】  並置された前身頃２と後身頃３は互いにそれぞれの側辺部９、１６を重ね合わせる。具体的には前身頃の下前身頃片２２の側辺部９と後身頃３（同時に後身頃片２３）の側辺部１６を重ね合わせる。この場合、前身頃３における犬の前足１０７の付け根（例えば後ろ付け根ｂ）に対応する基点Ｂと後身頃３の側辺部上端Ｔが一致している。また重ね合わせた側辺部９、１６が基点Ｂから裾方向に延びる線Ｂ−Ｆ（又はＴ−Ｆ、以下同様）となり、またウエアの脇線１９を形成する。なお側辺部９、１６を重ね合わせるとき、一方の側辺部９の縫いしろはカットするか、仕上がり線から裏側に折り返す。【００１１】  このように組み合わされた型紙の前身頃２と後身頃３は、前身頃２の中心線Ａ−Ａ上あるいはその延長線上において、基点Ｂ、Ｂを結ぶ直線Ｂ−Ｂと中心線Ａ−Ａとの直交点Ｃを起点として、一定の長さに相当する点Ｐを設定する。例えば、採寸された犬の前足の付け根から後足の付け根ｎまでの長さに相当する点Ｐを中心線Ａ−Ａの延長線上に設定し、当該点Ｐと後ろ身頃の中心線Ｄ−Ｄとを結ぶ直交線Ｐ−Ｒの長さＸと、後足の付け根ｎで採寸された犬の後胴回りＹを比較し、ＸがＹの２分の１とほぼ同じになるようにする（以下これを「手段１」という、図２参照））。すなわち犬の半身（図７のＧ−Ｇ線で分けられる一方の半身）を対象としたとき、Ｘの値がＹの２分の１とほぼ同じであるから、互いに側辺部９、１６を重ね合わせるとともに前身頃２と後ろ身頃３を連結した筒状の身頃において、設定された点Ｐにおけるウエア１の胴部の周長（胴回り）は犬の後胴回りとほぼ同じか近似していることを表す。従ってこのような型紙から作られたウエア１は犬の体型に容易にフィットする。なお図８は犬が雄であるため前身頃２の前裾が短くウエア１全体が筒状になっていないが、基本的な考え方は同様に適用される。【００１２】  また別の手段をとることもできる。すなわち前身頃の中心線Ａ−Ａ上あるいはその延長線上において、基点Ｂ、Ｂを結ぶ直線Ｂ−Ｂ���中心線Ａ−Ａとの直交点Ｃを起点Ｃとして、採寸された犬の前足の付け根から一定の長さに相当する点Ｐを設定し、当該点Ｐを通るとともに中心線Ａ−Ａと直交する線Ｓ−Ｓが、ウエアの脇線を形成する線Ｂ−Ｆ（側辺部９、１６の重なり合ったもの）と交わる点をＳとし、直線Ｐ−Ｓの長さＸ１、線Ｂ−Ｆ上の点Ｓと後ろ身頃の中心線Ｄ−Ｄとを結ぶ直交線Ｓ−Ｑの長さＸ２、設定された点Ｐに対応する箇所で採寸された犬の胴回りＹとするとき、Ｘ１とＸ２との和ＸがＹの２分の１とほぼ同じになるようにする（以下、これを「手段２」という、図３参照）。すなわち、犬の半身（図７のＧ−Ｇ線の一方の半身）を対象としたとき、Ｘの値がＹの２分の１とほぼ同じであるから、互いに側辺部９、１６を重ね合わせ前身頃２と後ろ身頃３を連結した筒状の身頃において、設定された点Ｐにおけるウエア１胴部の周長（胴回り）は、対応する犬の胴回りとほぼ同じか近似していることを表す。従って同様にこのような型紙から作られたウエアは犬の体型にフィットしやすい。直交点Ｃを起点として設定される一定の長さに相当する点Ｐは適宜に選択できる。図３の場合、一定の長さを前足の付け根（例えばｂ）と後足の付け根ｎの中間点、つまり犬の中胴としたものである。以上、手段１または２により、適宜に選択された設定点Ｐにおいて所定の計算をおこない、適切な型紙サイズが決定される。【００１３】  このような手段１、２の考え方によれば、型紙サイズの適否は手段１、２を適用して得られた結果により判定される。すなわち前身頃の中心線Ａ−Ａ上あるいはその延長線上において、基点Ｂ、Ｂを結ぶ直線Ｂ−Ｂと中心線Ａ−Ａとの直交点Ｃを起点として採寸された犬の前足の付け根から一定の長さに相当する点Ｐを設定する。そして手段１または手段２による長さＸと点Ｐに対応する犬の胴回りＹとの関係をみると、ＸがＹの２分の１とほぼ同じか、小さいか、大きいかのいずれかである。サイズの適否の判定は、同じの場合はサイズが適当であり、小さい場合はサイズが小さくて不適であり、また大きい場合ばサイズがは大き過ぎて不適となる。【００１４】  長さやサイズはメジャーや紐状物などの適宜な採寸手段（図示せず）により採寸する。図６、７においてｘは犬の前胴回り、ｙは犬の中胴回り、２は犬の後胴回り、ｕは前足の後ろ付け根ｂから後足の付け根ｎまでの採寸箇所をそれぞれ説明的に示す。胴回りの採寸はメジャーをきつ過ぎずゆる過ぎないように回し、例えば人差し指が１本入るほどがよい。また犬１００は体毛が密生しており正確な採寸が困難なこともあり、採寸にはある程度の誤差ないしは余裕の存在が前提とされている。そこで本文において長さ、幅など距離関係を示す表現、特定の点や位置など位置関係を示す表現において「同じ」とは全く「同じ」だけでなく「ほぼ同じ」「実質的に同じ」を含む。ＸとＹとの関係においても同様にＸがＹと「同」じとは全く「同じ」だけでなく「ほぼ同じ」「実質的に同じ」を含む。またサイズの適否はウエアの種類などによりある程度の幅があり、またウエア作成者の好みもあるから判定の結果はサイズ適否の目安とする一方、その差を把握した上で型紙の修正に適宜、利用すればよい。【００１５】  型紙サイズは犬の半身を操作対象と���た修正方法が可能である。前記判定の結果Ｘの値がＹの２分の１より小さい場合、通常、犬の胴回りが後方に向かい太くなっているから、その調整のため前身頃２の移動を介してウエアの脇線を変更する。すなわち基点Ｂ（Ｔ）をまち針（図示せず）などで留める一方、基点Ｂを支点としてＸがＹの２分の１と同じになるまで前身頃２を後身頃３の中心線Ｄ−Ｄから離間するように移動し、移動後の前身頃の側辺部９と後身頃の側辺部１６との間にウエアの脇線１９となる線Ｂ−Ｆを設定する。線Ｂ−Ｆは通常は直線である。図３において移動前の前身頃を細点線で示し、移動後の前身頃２を実線で示す。また基点Ｂを中心とする前身頃の回転的な移動方向を矢標で示す。離間により生じた隙間３５は紙を付加して塞ぐとともに、離間された前身頃２と後身頃３のほぼ中間に変更後の脇線１９となる線Ｂ−Ｆを引く。前身頃２と後身頃３の間であれば脇線の位置に限定はないが、両者のほぼ中間に脇線を設定するとバランスがよい。脇線の変更による新しい裾線は、太い点線で示されるように、自然につないでおく。変更後の脇線となる線Ｂ−Ｆに添い付加された紙をカットして切り離すと、新たな側辺部を有する前身頃と後身頃がそれぞれ形成される。このように修正された前身頃２、後身頃３は側辺部にそれぞれ縫い代となる紙片をつけ足す。また前身頃２と後身頃３は左右対称となるように補正しておく。【００１６】  次に前記判定の結果Ｘの値がＹの２分の１より大きい場合、通常、犬の胴回りが後方に向かい細くなっているから、その調整のため前身頃２の移動を介してウエアの脇線を変更する。すなわち基点Ｂ（Ｔ）をまち針（図示せず）などで留める一方、ＸがＹの２分の１と同じになるまで基点Ｂを支点として前身頃２を後身頃３の中心線Ｄ−Ｄに接近するように移動し、移動後の前身頃における側辺部を変更されるウエアの脇線とする。図４において移動前の前身頃を細点線で示し、移動後の前身頃２を実線で示す。但し移動前の前身頃（細点線）のうち下前身頃片２２の右側辺部のみは実線で示す。また基点Ｂを中心とする前身頃の回転的な移動方向を矢標で示す。脇線変更による新しい裾線は、太い点線で示されるように、自然につないでおく。変更後の脇線を形成する線Ｂ−Ｆより後身頃３をカットすると、新たな側辺部を有する後身頃が形成される。これにより、ウエア１の脇線１９を形成する線Ｂ−Ｆが中心線Ｄ−Ｄへより接近するように変更される。このように修正された後身頃３は側辺部に縫い代となる紙片をつけ足す。また前身頃２と後身頃３は左右対称となるように補正しておく。【００１７】  以上みたように、前身頃２と後身頃３が互いに側辺部９、１６を重ねて連結される型紙において、基点Ｂを中心とする前身頃２全体の回転的な移動によって下前身頃片２２が後身頃３の中心線Ｄ−Ｄに対して相対的に離間移動あるいは接近移動する。離間移動したときは離間する下前身頃片の側辺部９と後身頃３の側辺部１６との間に変更後の脇線１９を形成するように新たに側辺部９、１６の位置を設定する。また接近移動したときは後身頃３と部分的に重なり合う下前身頃片の側辺部９を、変更後の脇線１９を形成する新たな側辺部とする。前身頃２と後身頃３は縫着した脇線１９（型紙の線Ｂ−Ｆ）を介して連結し筒状の身頃が構成されるから、基準となる中心線Ｄ−Ｄに対して下前身頃片の位置を相対的に離間移動あるいは接近移動し、脇線の変更を通じて型紙サイズの調整をすることができる。なお図４、５により手段１の修正を図示するのみであるが、手段２による修正が可能であるのはもちろんである。【００１８】  一方の半身を対象として修正された型紙は、型紙の対称性の性質を利用して、その修正結果を他方の半身を対象としてた修正に転用できる。すなわち一方の前身頃片２０および／または後身頃片２３において変更された脇線などの修正部分は、前身頃の中心線Ａ−Ａおよび／または後身頃の中心線Ｄ−Ｄにより、対称に配置される他方の前身頃片２０および／または後身頃片２３にこれを転用し、一対の前身頃片２０、２０および／または後身頃片２３、２３を適宜に修正することができる。転用の方法は複写などその手段は問わない。一方の半身を対象とした修正の結果を他の半身を対象としたものに転用できるから、便利のみならず修正も簡易である。【００１９】  図１のドッグウエア用型紙５０はウエア１の前身頃２、後身頃３、袖１２（但し袖はその一方を省略）、衿５の４種類のパターンを示す。前身頃２は上辺部６と下辺部７と左右の側辺部９、９とからなり、その中心線Ａ−Ａは上辺部６の中間点と下辺部７の中間点を結ぶ。後身頃３は中央上辺部１３とその両側の傾斜上辺部１５と左右側辺部１６、１６と下辺部１７とからなり、下辺部１７はウエアの裾を形成するものである。ウエア１において前身頃２と後身頃３との間に袖１２が設けられる。すなわち後身頃の傾斜上辺部１５には袖の一方の側辺部２６が縫着され、また袖の他方の側辺部３０に上前身頃片２０の一方の側辺部９が縫着される。袖１２は線Ｓ−Ｓを基準にして下辺部２８により筒状に形成される袖口３２を有し、袖１２下側は縁部２７、２８が互いに縫着される。前身頃２の上辺部６と後身頃の中央上辺部１３と袖１２の上辺部２５が合一されて首口部１５０が形成される。首口部１５０には衿５が設けられ、衿５は線Ｈ−Ｈより折り返すとともに両端部を縫着し、中心線Ｋ−Ｋより環状にしたものである。なお本発明は前身頃と後身頃を連結して筒状の身頃（胴部）を構成するウエアの型紙について適用され、従って衿、袖のないウエアに対しても同様に適用される。また図８、９に示されるウエア１は前記型紙パターンにより制作されものであるが、ウエア１において前記型紙パターンに対応する部分（前身頃２、後身頃３、衿５、袖１２）は説明の都合上同じ符号が付してある。
【発明の効果】
【００２０】  本願発明によれば、犬の種類、性別など一定の基準により類型化されている型紙、一旦採寸したサイズをもとに作成された型紙のみならず種々の型紙についてサイズの設定、判定、修正をおこなうことができる。特に前胴より後方のサイズの設定、判定、修正をおこなう上で有効である
【図面の簡単な説明】
【図１】  ドッグウエア用の型紙の平面図である
【図２】  連結された前身頃と後身頃の型紙において両者の関係を示す拡大平面図である。
【図３】  連結された前身頃と後身頃の型紙において両者の関係を示す他の拡大平面図である。
【図４】  連結された前身頃と後身頃の型紙において両者が離間移動した状態を説明する拡大平面図である。
【図５】  連結された前身頃と後身頃の型紙において両者が接近移動した状態を説明する拡大平面図である。
【図６】  サイズの採寸箇所などを説明する犬の側面図である。
【図７】  同犬の正面図である。
【図８】  ドッグのウエアの説明的な斜視図である。
【図９】  ドッグウエアを着用した犬の側面図である。
【符号の説明】
１  ウエア
２  前身頃
３  後身頃
５  衿
６  前身頃の上辺部
７  前身頃の下辺部
９  前身頃の側辺部
１３  後身頃の中央上縁部
１５  後身頃の上縁部
１６  後身頃の側縁部
【図１】
2005058190.tif 000003
【図２】
2005058190.tif 000004
【図３】
2005058190.tif 000005
【図４】
2005058190.tif 000006
【図５】
2005058190.tif 000007
【図６】
2005058190.tif 000008
【図７】
2005058190.tif 000009
【図８】
2005058190.tif 000010
【図９】
2005058190.tif 000011